(57)【要約】本開示は、ユーザ機器の保護方法、装置、ユーザ機器及び基地局に関する。ユーザ機器の保護方法は、降温構成を要求するための第１シグナリングを基地局に送信した後、第１プリセット時間のタイマーを起動するステップと、前記タイマーが時間切れになる時点におけるユーザ機器の温度を検出するステップと、前記機器の温度で表されるユーザ機器の状態を前記基地局に指示するステップと、を含む。本開示の技術的案は、基地局によりＵＥ配置を低下させてＵＥ過熱の問題を解決することを実現するとともに、基地局は、ＵＥが過熱しなくなる場合にＵＥのために高い無線リンク構成をすぐ配置し、ＵＥのデータ伝送レートを確保することを実現することができる。【選択図】図１Ａ
2020524960.tif 000002
【特許請求の範囲】
【請求項１】
ユーザ機器に応用されるユーザ機器の保護方法であって、前記方法は、
降温構成を要求するための第１シグナリングを基地局に送信した後、第１プリセット時間のタイマーを起動するステップと、
前記タイマーが時間切れになる時点におけるユーザ機器の温度を検出するステップと、
前記機器の温度で表されるユーザ機器の状態を前記基地局に指示するステップと、を含む
ことを特徴とするユーザ機器の保護方法。
【請求項２】
無線リンク構成が高過ぎることが、ユーザ機器の過熱の原因となると確定する場合、降温構成を要求するための第１シグナリングを基地局に送信するステップをさらに含む
ことを特徴とする請求項１に記載のユーザ機器の保護方法。
【請求項３】
第１シグナリングには、前記基地局が前記ユーザ機器の調整される無線リンク構成を確定するように指示するための降温補助情報が含まれる
ことを特徴とする請求項１に記載のユーザ機器の保護方法。
【請求項４】
前記機器の温度で表されるユーザ機器の状態を前記基地局に指示するステップは、
前記機器の温度で表されるユーザ機器の状態が、前記ユーザ機器が依然として過熱する場合、降温構成を要求するための第２シグナリングを前記基地局に送信するステップと、
前記機器の温度で表されるユーザ機器の状態が、前記ユーザ機器が過熱しなくなる場合、前記ユーザ機器の状態が過熱しなくなることを指示するための第３シグナリングを前記基地局に送信するステップと、を含む
ことを特徴とする請求項３に記載のユーザ機器の保護方法。
【請求項５】
前記第３シグナリングは、前記降温補助情報が空である第１シグナリングであることを特徴とする請求項４に記載のユーザ機器の保護方法。
【請求項６】
基地局に応用されるユーザ機器の保護方法であって、前記方法は、
ユーザ機器から送信された降温構成を要求するための第１シグナリングを受信するステップと、
前記第１シグナリングに基づいて前記ユーザ機器の無線リンク構成を低下させるための応答シグナリングを生成して送信するステップと、
第２プリセット時間内に前記ユーザ機器から送信されたシグナリングをモニタリングするステップと、
モニタリング結果に基づいて前記ユーザ機器の状態を確定するステップと、を含む
ことを特徴とするユーザ機器の保護方法。
【請求項７】
第２プリセット時間は、基地局に基づいて動的に配置されるか、又は第２プリセット時間は、システムにより合意された固定値であるか、又は第２プリセット時間は、基地局の実現に基づいて確定される
ことを特徴とする請求項６に記載のユーザ機器の保護方法。
【請求項８】
前記ユーザ機器の状態が、ユーザ機器が過熱しなくなる場合、前記ユーザ機器の無線リンク構成を向上させるステップと、
前記ユーザ機器の状態が、ユーザ機器が依然として過熱する場合、前記応答シグナリングを生成して送信する操作を実行するステップと、をさらに含む
ことを特徴とする請求項６に記載のユーザ機器の保護方法。
【請求項９】
前記モニタリング結果に基づいて前記ユーザ機器の状態を確定するステップは、
前記モニタリング結果が、前記ユーザ機器から送信された降温構成を要求するための第２シグナリングがモニタリングされたことを示す場合、前記ユーザ機器の状態が依然として過熱すると確定するステップと、
前記モニタリング結果が、前記ユーザ機器が過熱しなくなることを指示する第３シグナリングがモニタリングされたことを示す場合、前記ユーザ機器の状態が過熱しなくなると確定するステップと、を含む
ことを特徴とする請求項６に記載のユーザ機器の保護方法。
【請求項１０】
前記モニタリング結果に基づいて前記ユーザ機器の状態を確定するステップは、
前記モニタリング結果が、前記ユーザ機器から送信された過熱の解決に関するシグナリングがモニタリングされない場合、前記ユーザ機器の状態が過熱しなくなると確定するステップを含む
ことを特徴とする請求項６に記載のユーザ機器の保護方法。
【請求項１１】
ユーザ機器に応用されるユーザ機器の保護装置であって、前記装置は、
降温構成を要求するための第１シグナリングを基地局に送信した後、第１プリセット時間のタイマーを起動するタイミングモジュールと、
タイミングモジュールにより起動される前記タイマーが時間切れになる時点におけるユーザ機器の温度を検出するように構成される検出モジュールと、
前記機器の温度で表されるユーザ機器の状態を前記基地局に指示するように構成される状態指示モジュールと、を含む
ことを特徴とするユーザ機器の保護装置。
【請求項１２】
無線リンク構成が高過ぎることが、ユーザ機器の過熱の原因となると確定する場合、降温構成を要求するための第１シグナリングを基地局に送信するように構成される第１送信モジュールをさらに含む
ことを特徴とする請求項１１に記載のユーザ機器の保護装置。
【請求項１３】
第１シグナリングには、前記基地局が前記ユーザ機器の調整される無線リンク構成を確定するように指示するための降温補助情報が含まれることを特徴とする請求項１１に記載のユーザ機器の保護装置。
【請求項１４】
前記状態指示モジュールは、
前記機器の温度で表されるユーザ機器の状態が、前記ユーザ機器が依然として過熱する場合、降温構成を要求するための第２シグナリングを前記基地局に送信するように構成される第１送信サブモジュールと、
前記機器の温度で表されるユーザ機器の状態が、前記ユーザ機器が過熱しなくなる場合、前記ユーザ機器の状態が過熱しなくなることを指示するための第３シグナリングを前記基地局に送信する第２送信サブモジュールと、を含む
ことを特徴とする請求項１３に記載のユーザ機器の保護装置。
【請求項１５】
前記第３シグナリングは、前記降温補助情報が空である第１シグナリングであることを特徴とする請求項１４に記載のユーザ機器の保護装置。
【請求項１６】
基地局に応用されるユーザ機器の保護装置であって、前記装置は、
ユーザ機器から送信された降温構成を要求するための第１シグナリングを受信するように構成される受信モジュールと、
前記受信モジュールが受信した前記第１シグナリングに基づいて、前記ユーザ機器の無線リンク構成を低下させるための応答シグナリングを生成して送信するように構成される応答モジュールと、
前記受信モジュールが前記第１シグナリングを受信した後の第２プリセット時間内に前記ユーザ機器から送信されたシグナリングをモニタリングするように構成されるモニタリングモジュールと、
モニタリング結果に基づいて前記ユーザ機器の状態を確定するように構成される状態確定モジュールと、を含む
ことを特徴とするユーザ機器の保護装置。
【請求項１７】
第２プリセット時間は、基地局に基づいて動的に配置されるか、又は第２プリセット時間は、システムにより合意された固定値であるか、又は第２プリセット時間は、基地局の実現に基づいて確定されることを特徴とする請求項１６に記載のユーザ機器の保護装置。
【請求項１８】
前記ユーザ機器の状態が、ユーザ機器が過熱しなくなる場合、前記ユーザ機器の無線リンク構成を向上させるように構成される再配置モジュールと、
前記ユーザ機器の状態が、ユーザ機器が依然として過熱する場合、前記応答シグナリングを生成して送信する操作を実行する応答モジュールと、をさらに含む
ことを特徴とする請求項１６に記載のユーザ機器の保護装置。
【請求項１９】
前記状態確定モジュールは、
前記モニタリング結果が、前記ユーザ機器から送信された降温構成を要求するための第２シグナリングがモニタリングされたことを示す場合、前記ユーザ機器の状態が依然として過熱すると確定するように構成される第１確定サブモジュールと、
前記モニタリング結果が、前記ユーザ機器が過熱しなくなることを指示する第３シグナリングがモニタリングされたことを示す場合、前記ユーザ機器の状態が過熱しなくなると確定するように構成される第２確定サブモジュールと、を含む
ことを特徴とする請求項１６に記載のユーザ機器の保護装置。
【請求項２０】
前記状態確定モジュールは、
前記モニタリング結果が、前記ユーザ機器から送信された過熱の解決に関するシグナリングがモニタリングされない場合、前記ユーザ機器の状態が過熱しなくなると確定するように構成される第３確定サブモジュールを含む
ことを特徴とする請求項１６に記載のユーザ機器の保護装置。
【請求項２１】
プロセッサと、
前記プロセッサにより実行可能な命令を記憶するためのメモリと、を含み、
前記プロセッサは、
降温構成を要求するための第１シグナリングを基地局に送信した後、第１プリセット時間のタイマーを起動し、
前記タイマーが時間切れになる時点におけるユーザ機器の温度を検出し、
前記機器の温度で表されるユーザ機器の状態を前記基地局に指示するように構成される
ことを特徴とするユーザ機器。
【請求項２２】
プロセッサと、
前記プロセッサにより実行可能な命令を記憶するためのメモリと、を含み、
前記プロセッサは、
ユーザ機器から送信された降温構成を要求するための第１シグナリングを受信し、
前記第１シグナリングに基づいて前記ユーザ機器の無線リンク構成を低下させるための応答シグナリングを生成して送信し、
第２プリセット時間内に前記ユーザ機器から送信されたシグナリングをモニタリングし、
モニタリング結果に基づいて前記ユーザ機器の状態を確定するように構成される
ことを特徴とする基地局。
【請求項２３】
コンピュータ命令を記憶している非一時的なコンピュータ読み取り可能な記憶媒体であって、前記命令がプロセッサにより実行される場合、以下のステップを実現し、
降温構成を要求するための第１シグナリングを基地局に送信した後、第１プリセット時間のタイマーを起動し、
前記タイマーが時間切れになる時点におけるユーザ機器の温度を検出し、
前記機器の温度で表されるユーザ機器の状態を前記基地局に指示する
ことを特徴とする非一時的なコンピュータ読み取り可能な記憶媒体。
【請求項２４】
コンピュータ命令を記憶している非一時的なコンピュータ読み取り可能な記憶媒体であって、前記命令がプロセッサにより実行される場合、以下のステップを実現し、
ユーザ機器から送信された降温構成を要求するための第１シグナリングを受信し、
前記第１シグナリングに基づいて前記ユーザ機器の無線リンク構成を低下させるための応答シグナリングを生成して送信し、
第２プリセット時間内に前記ユーザ機器から送信されたシグナリングをモニタリングし、
モニタリング結果に基づいて前記ユーザ機器の状態を確定する
ことを特徴とする非一時的なコンピュータ読み取り可能な記憶媒体。
【発明の詳細な説明】
【技術分野】
【０００１】
本開示は、無線通信技術分野に関し、特に、ユーザ機器の保護方法、装置、ユーザ機器及び基地局に関する。
【背景技術】
【０００２】
ロングタームエボリューション（Ｌｏｎｇ  Ｔｅｒｍ  Ｅｖｏｌｕｔｉｏｎ、単にＬＴＥと呼ぶ）システムにおいて、高速データ伝送に対するユーザの要求を満たすように、ユーザ機器（Ｕｓｅｒ  Ｅｑｕｉｐｍｅｎｔ、単にＵＥと呼ぶ）のために高次マルチ入力マルチ出力（Ｍｕｌｔｉｐｌｅ−Ｉｎｐｕｔ  Ｍｕｌｔｉｐｌｅ−Ｏｕｔｐｕｔ、単にＭＩＭＯと呼ぶ）、マルチキャリアアグリゲーション、又は高次変調及び復号化などの無線伝送モードを設置することができる。しかしながら、このような高速無線伝送モードによりＵＥが過熱してさらにＵＥのサービスデータ伝送の中断、ひいては機器の再起動などの問題を引き起こす可能性がある。
【０００３】
関連技術において、ユーザがＵＥを使用する際の体験を確保するために、ＵＥのサプライヤーは、一般的に、携帯電話に対して温度制御を行い、例えば、ＵＥがデタッチ及び再アタッチにより無線リンク構成を削減するように制御してＵＥの過熱を回避することができる。関連技術において、ＵＥは、デタッチ及び再アタッチのプロセスにおいてサービスデータ伝送の中断を引き起こし、ユーザの使用体験を低下させる。
【発明の概要】
【発明が解決しようとする課題】
【０００４】
関連技術に存在する問題を解決するために、本開示の実施例は、ユーザ機器の保護方法、装置、ユーザ機器及び基地局を提供することにより、基地局によりＵＥ配置を低下させてＵＥ過熱の問題を解決することを実現する。
【課題を解決するための手段】
【０００５】
本開示の実施例の第１態様によれば、ユーザ機器に応用されるユーザ機器の保護方法を提供し、前記方法は、
降温構成を要求するための第１シグナリングを基地局に送信した後、第１プリセット時間のタイマーを起動するステップと、
前記タイマーが時間切れになる時点におけるユーザ機器の温度を検出するステップと、
前記機器の温度で表されるユーザ機器の状態を前記基地局に指示するステップと、を含む。
【０００６】
一実施例において、前記方法は、
無線リンク構成が高過ぎることが、ユーザ機器の過熱の原因となると確定する場合、降温構成を要求するための第１シグナリングを基地局に送信するステップをさらに含む。
【０００７】
一実施例において、第１シグナリングには、前記基地局が前記ユーザ機器の調整される無線リンク構成を確定するように指示するための降温補助情報が含まれる。
【０００８】
一実施例において、前記機器の温度で表されるユーザ機器の状態を前記基地局に指示するステップは、
前記機器の温度で表されるユーザ機器の状態が、前記ユーザ機器が依然として過熱する場合、降温構成を要求するための第２シグナリングを前記基地局に送信するステップと、
前記機器の温度で表されるユーザ機器の状態が、前記ユーザ機器が過熱しなくなる場合、前記ユーザ機器の状態が過熱しなくなることを指示するための第３シグナリングを前記基地局に送信するステップと、を含む。
【０００９】
一実施例において、前記第３シグナリングは、前記降温補助情報が空である第１シグナリングである。
【００１０】
本開示の実施例の第２態様によれば、基地局に応用されるユーザ機器の保護方法を提供し、前記方法は、
ユーザ機器から送信された降温構成を要求するための第１シグナリングを受信するステップと、
前記第１シグナリングに基づいて前記ユーザ機器の無線リンク構成を低下させるための応答シグナリングを生成して送信するステップと、
第２プリセット時間内に前記ユーザ機器から送信されたシグナリングをモニタリングするステップと、
モニタリング結果に基づいて前記ユーザ機器の状態を確定するステップと、を含む。
【００１１】
一実施例において、第２プリセット時間は、基地局に基づいて動的に配置されるか、又は第２プリセット時間は、システムにより合意された固定値であるか、又は第２プリセット時間は、基地局の実現に基づいて確定される。
【００１２】
一実施例において、前記方法は、
前記ユーザ機器の状態が、ユーザ機器が過熱しなくなる場合、前記ユーザ機器の無線リンク構成を向上させるステップと、
前記ユーザ機器の状態が、ユーザ機器が依然として過熱する場合、前記応答シグナリングを生成して送信する操作を実行するステップと、をさらに含む。
【００１３】
一実施例において、前記モニタリング結果に基づいて前記ユーザ機器の状態を確定するステップは、
前記モニタリング結果が、前記ユーザ機器から送信された降温構成を要求するための第２シグナリングがモニタリングされたことを示す場合、前記ユーザ機器の状態が依然として過熱すると確定するステップと、
前記モニタリング結果が、前記ユーザ機器が過熱しなくなることを指示する第３シグナリングがモニタリングされたことを示す場合、前記ユーザ機器の状態が過熱しなくなると確定するステップと、を含む。
【００１４】
一実施例において、前記モニタリング結果に基づいて前記ユーザ機器の状態を確定するステップは、
前記モニタリング結果が、前記ユーザ機器から送信された過熱の解決に関するシグナリングがモニタリングされない場合、前記ユーザ機器の状態が過熱しなくなると確定するステップを含む。
【００１５】
本開示の実施例の第３態様によれば、ユーザ機器に応用されるユーザ機器の保護装置を提供し、前記装置は、
降温構成を要求するための第１シグナリングを基地局に送信した後、第１プリセット時間のタイマーを起動するタイミングモジュールと、
タイミングモジュールにより起動される前記タイマーが時間切れになる時点におけるユーザ機器の温度を検出するように構成される検出モジュールと、
前記機器の温度で表されるユーザ機器の状態を前記基地局に指示するように構成される状態指示モジュールと、を含む。
【００１６】
一実施例において、前記装置は、
無線リンク構成が高過ぎることが、ユーザ機器の過熱の原因となると確定する場合、降温構成を要求するための第１シグナリングを基地局に送信するように構成される第１送信モジュールをさらに含む。
【００１７】
一実施例において、第１シグナリングには、前記基地局が前記ユーザ機器の調整される無線リンク構成を確定するように指示するための降温補助情報が含まれる。
【００１８】
一実施例において、前記状態指示モジュールは、
前記機器の温度で表されるユーザ機器の状態が、前記ユーザ機器が依然として過熱する場合、降温構成を要求するための第２シグナリングを前記基地局に送信するように構成される第１送信サブモジュールと、
前記機器の温度で表されるユーザ機器の状態が、前記ユーザ機器が過熱しなくなる場合、前記ユーザ機器の状態が過熱しなくなることを指示するための第３シグナリングを前記基地局に送信する第２送信サブモジュールと、を含む。
【００１９】
一実施例において、前記第３シグナリングは、前記降温補助情報が空である第１シグナリングである。
【００２０】
本開示の実施例の第４態様によれば、基地局に応用されるユーザ機器の保護装置を提供し、前記装置は、
ユーザ機器から送信された降温構成を要求するための第１シグナリングを受信するように構成される受信モジュールと、
前記受信モジュールが受信した前記第１シグナリングに基づいて、前記ユーザ機器の無線リンク構成を低下させるための応答シグナリングを生成して送信するように構成される応答モジュールと、
前記受信モジュールが前記第１シグナリングを受信した後の第２プリセット時間内に前記ユーザ機器から送信されたシグナリングをモニタリングするように構成されるモニタリングモジュールと、
モニタリング結果に基づいて前記ユーザ機器の状態を確定するように構成される状態確定モジュールと、を含む。
【００２１】
一実施例において、第２プリセット時間は、基地局に基づいて動的に配置されるか、又は第２プリセット時間は、システムにより合意された固定値であるか、又は第２プリセット時間は、基地局の実現に基づいて確定される。
【００２２】
一実施例において、前記装置は、
前記ユーザ機器の状態が、ユーザ機器が過熱しなくなる場合、前記ユーザ機器の無線リンク構成を向上させるように構成される再配置モジュールと、
前記ユーザ機器の状態が、ユーザ機器が依然として過熱する場合、前記応答シグナリングを生成して送信する操作を実行する応答モジュールと、をさらに含む。
【００２３】
一実施例において、前記状態確定モジュールは、
前記モニタリング結果が、前記ユーザ機器から送信された降温構成を要求するための第２シグナリングがモニタリングされたことを示す場合、前記ユーザ機器の状態が依然として過熱すると確定するように構成される第１確定サブモジュールと、
前記モニタリング結果が、前記ユーザ機器が過熱しなくなることを指示する第３シグナリングがモニタリングされたことを示す場合、前記ユーザ機器の状態が過熱しなくなると確定するように構成される第２確定サブモジュールと、を含む。
【００２４】
一実施例において、前記状態確定モジュールは、
前記モニタリング結果が、前記ユーザ機器から送信された過熱の解決に関するシグナリングがモニタリングされない場合、前記ユーザ機器の状態が過熱しなくなると確定するように構成される第３確定サブモジュールを含む。
【００２５】
本開示の実施例の第５態様によれば、ユーザ機器を提供し、前記ユーザ機器は、
プロセッサと、
前記プロセッサにより実行可能な命令を記憶するためのメモリと、を含み、
前記プロセッサは、
降温構成を要求するための第１シグナリングを基地局に送信した後、第１プリセット時間のタイマーを起動し、
前記タイマーが時間切れになる時点におけるユーザ機器の温度を検出し、
前記機器の温度で表されるユーザ機器の状態を前記基地局に指示するように構成される。
【００２６】
本開示の実施例の第６態様によれば、基地局を提供し、前記基地局は、
プロセッサと、
前記プロセッサにより実行可能な命令を記憶するためのメモリと、を含み、
前記プロセッサは、
ユーザ機器から送信された降温構成を要求するための第１シグナリングを受信し、
前記第１シグナリングに基づいて前記ユーザ機器の無線リンク構成を低下させるための応答シグナリングを生成して送信し、
第２プリセット時間内に前記ユーザ機器から送信されたシグナリングをモニタリングし、
モニタリング結果に基づいて前記ユーザ機器の状態を確定するように構成される。
本開示の実施例の第７態様によれば、コンピュータ命令を記憶している非一時的なコンピュータ読み取り可能な記憶媒体を提供し、前記命令がプロセッサにより実行される場合、以下のステップを実現する。
【００２７】
降温構成を要求するための第１シグナリングを基地局に送信した後、第１プリセット時間のタイマーを起動し、
前記タイマーが時間切れになる時点におけるユーザ機器の温度を検出し、
前記機器の温度で表されるユーザ機器の状態を前記基地局に指示する。
【００２８】
本開示の実施例の第８態様によれば、コンピュータ命令を記憶している非一時的なコンピュータ読み取り可能な記憶媒体を提供し、前記命令がプロセッサにより実行される場合、以下のステップを実現する。
【００２９】
ユーザ機器から送信された降温構成を要求するための第１シグナリングを受信し、
前記第１シグナリングに基づいて前記ユーザ機器の無線リンク構成を低下させるための応答シグナリングを生成して送信し、
第２プリセット時間内に前記ユーザ機器から送信されたシグナリングをモニタリングし、
モニタリング結果に基づいて前記ユーザ機器の状態を確定する。
【００３０】
（発明の効果）
本開示の実施例が提供する技術方案によれば、下記のような技術効果を奏することができる。
【００３１】
無線リンク構成が高過ぎることが、ユーザ機器の過熱の原因となると確定する場合、降温構成を要求するための第１シグナリングを基地局に送信するとともに、第１シグナリングを送信した後に第１プリセット時間のタイマーを起動し、タイマーが時間切れになる時点におけるユーザ機器の温度を検出し、且つ、機器の温度で表されるユーザ機器の状態を基地局に指示し、機器が依然として過熱したり過熱しなくなったりする場合、基地局によりＵＥ配置を低下させてＵＥ過熱の問題を解決することを実現し、関連技術によるサービスデータ伝送の中断の問題を避けることができる。
【００３２】
理解するのは、上記の一般的な説明と後述する詳細な説明は、単に例示的で解釈的なものであり、本開示を限定するものではない。
【図面の簡単な説明】
【００３３】
ここでの図面は、明細書に併合されて本明細書の一部を構成し、本発明に合致する実施例を示し、明細書と一緒に本発明の原理を解釈する。
【図１Ａ】一例示的な実施例によるユーザ機器の保護方法のフローチャートである。
【図１Ｂ】一例示的な実施例によるユーザ機器の保護方法のシーングラフである。
【図２】一例示的な実施例による他のユーザ機器の保護方法のフローチャートである。
【図３】一例示的な実施例によるユーザ機器の保護方法のフローチャートである。
【図４】一例示的な実施例による他のユーザ機器の保護方法のフローチャートである。
【図５】一例示的な実施例による基地局とユーザ機器とのシグナリングのインタラクティブによりユーザ機器の保護を実現する方法のフローチャートである。
【図６】一例示的な実施例によるユーザ機器の保護装置のブロック図である。
【図７】一例示的な実施例による他のユーザ機器の保護装置のブロック図である。
【図８】一例示的な実施例によるユーザ機器の保護装置のブロック図である。
【図９】一例示的な実施例による他のユーザ機器の保護装置のブロック図である。
【図１０】一例示的な実施例によるユーザ機器を保護するのに適用される装置のブロック図である。
【図１１】一例示的な実施例によるユーザ機器を保護するのに適用される装置のブロック図である。
【発明を実施するための形態】
【００３４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。逆に、それらは、特許請求の範囲に記載の本発明のある方面に一致する装置及び方法の例に過ぎない。
【００３５】
図１Ａは、一例示的な実施例によるユーザ機器の保護方法のフローチャートであり、図１Ｂは、一例示的な実施例によるユーザ機器の保護方法のシーングラフであり、当該ユーザ機器の保護方法は、ユーザ機器に応用可能であり、図１Ａに示すように、当該ユーザ機器の保護方法は、以下のステップ１０１〜１０３を含む。
【００３６】
ステップ１０１において、降温構成を要求するための第１シグナリングを基地局に送信した後、第１プリセット時間のタイマーを起動する。
【００３７】
一実施例において、第１シグナリングは、ＵＥＡｓｓｉｓｔａｎｃｅＩｎｆｏｒｍａｔｉｏｎシグナリングであってもよい。一実施例において、第１シグナリングには、基地局がユーザ機器の過熱問題を解決するように指示する降温補助情報が含まれ、降温補助情報は、過熱によるパフォーマンス低下の指示情報、及び／又は、過熱によるユーザ機器カテゴリーｕｅ−Ｃａｔｅｇｏｒｙで表される一時的なユーザ機器能力、及び／又は、過熱による無線周波数パラメータｒｆ−Ｐａｒａｍｅｔｅｒｓ−ｖ１４ｘｙで表される一時的なユーザ機器能力を含むことができる。第１シグナリングは、以下のコードを参照してもよい。
【００３８】
ＵＥＡｓｓｉｓｔａｎｃｅＩｎｆｏｒｍａｔｉｏｎ−ｒ１１  ：：＝ＳＥＱＵＥＮＣＥ  ｛
ＵＥ補助情報
ｃｒｉｔｉｃａｌＥｘｔｅｎｓｉｏｎｓ    ＣＨＯＩＣＥ  ｛
ｃ１                                    ＣＨＯＩＣＥ  ｛
ｕｅＡｓｓｉｓｔａｎｃｅＩｎｆｏｒｍａｔｉｏｎ−ｒ１１  ＵＥＡｓｓｉｓｔａｎｃｅＩｎｆｏｒｍａｔｉｏｎ−ｒ１１−ＩＥｓ，
ｓｐａｒｅ３  ＮＵＬＬ，  ｓｐａｒｅ２  ＮＵＬＬ，  ｓｐａｒｅ１  ＮＵＬＬ
｝，
ｃｒｉｔｉｃａｌＥｘｔｅｎｓｉｏｎｓＦｕｔｕｒｅ  ＳＥＱＵＥＮＣＥ  ｛｝
｝
｝
ＵＥＡｓｓｉｓｔａｎｃｅＩｎｆｏｒｍａｔｉｏｎ−ｒ１１−ＩＥｓ  ：：＝ＳＥＱＵＥＮＣＥ  ｛
ｐｏｗｅｒＰｒｅｆＩｎｄｉｃａｔｉｏｎ−ｒ１１  ＥＮＵＭＥＲＡＴＥＤ｛ｎｏｒｍａｌ，  
ｌｏｗＰｏｗｅｒＣｏｎｓｕｍｐｔｉｏｎ｝ＯＰＴＩＯＮＡＬ，
ｌａｔｅＮｏｎＣｒｉｔｉｃａｌＥｘｔｅｎｓｉｏｎＯＣＴＥＴ  ＳＴＲＩＮＧＯＰＴＩＯＮＡＬ，
ｎｏｎＣｒｉｔｉｃａｌＥｘｔｅｎｓｉｏｎ  ＵＥＡｓｓｉｓｔａｎｃｅＩｎｆｏｒｍａｔｉｏｎ−ｖ１４ｘｙ−ＩＥｓ  ＯＰＴＩＯＮＡＬ
｝
ＵＥＡｓｓｉｓｔａｎｃｅＩｎｆｏｒｍａｔｉｏｎ−ｖ１４ｘｙ−ＩＥｓ  ：：＝  ＳＥＱＵＥＮＣＥ｛
ｂｗ−Ｐｒｅｆｅｒｅｎｃｅ−ｒ１４  ＢＷ−Ｐｒｅｆｅｒｅｎｃｅ−ｒ１４
帯域幅期待ＯＰＴＩＯＮＡＬ，
ｓｐｓ−ＡｓｓｉｓｔａｎｃｅＩｎｆｏｒｍａｔｉｏｎ−ｒ１４  ＳＰＳ−ＡｓｓｉｓｔａｎｃｅＩｎｆｏｒｍａｔｉｏｎ−ｒ１４  ＳＰＳ補助情報ＯＰＴＩＯＮＡＬ，
ｔｅｍｐ−ＵＥ−Ｃａｐａｂｉｌｉｔｙ−ｒ１４  Ｔｅｍｐ−ＵＥ−Ｃａｐａｂｉｌｉｔｙ−ｒ１４ＯＰＴＩＯＮＡＬ
一時的なＵＥ能力
ｎｏｎＣｒｉｔｉｃａｌＥｘｔｅｎｓｉｏｎ  ＳＥＱＵＥＮＣＥ  ｛｝ＯＰＴＩＯＮＡＬ
｝
Ｔｅｍｐ−ＵＥ−Ｃａｐａｂｉｌｉｔｙ−ｒ１４−ＩＥｓ  ：：＝  ＳＥＱＵＥＮＣＥ｛
一時的なＵＥ能力
Ｌｏｗｅｒ−Ｐｅｒｆｏｒｍａｎｃｅ  ＢＯＯＬＥＡＮ  ＯＰＴＩＯＮＡＬ，
パフォーマンス低下
ｕｅ−Ｃａｔｅｇｏｒｙ  ＩＮＴＥＧＥＲ  （１．．５）ＯＰＴＩＯＮＡＬ，
ＵＥカテゴリー
ｒｆ−Ｐａｒａｍｅｔｅｒｓ−ｖ１４ｘｙ  ＲＦ−Ｐａｒａｍｅｔｅｒｓ−ｖ１４ｘｙＯＰＴＩＯＮＡＬ，
無線周波数パラメータ
ｎｏｎＣｒｉｔｉｃａｌＥｘｔｅｎｓｉｏｎ  ＳＥＱＵＥＮＣＥ  ｛｝ＯＰＴＩＯＮＡＬ
｝
【００３９】
一実施例において、第１プリセット時間のタイマーは、無線リソース制御（Ｒａｄｉｏ  Ｒｅｓｏｕｒｃｅ  Ｃｏｎｔｒｏｌ、単にＲＲＣと呼ぶ）シグナリング、例えばＲＲＣ接続再配置シグナリングにおける他の配置Ｏｔｈｅｒｃｏｎｆｉｇシグナリングにより、基地局によってユーザ機器に指示されてもよい。
【００４０】
一実施例において、第１シグナリングを送信するとすぐにタイマーを起動することができるので、タイマーのタイミング開始時点は、第１シグナリングを送信する時点であってもよい。
【００４１】
一実施例において、ユーザ機器の温度がプリセット温度閾値を超えて一定時間以上持続するか否かによりユーザ機器が過熱するか否かを確定し、且つ、過熱する場合に降温構成を要求するための第１シグナリングを基地局に送信することができ、例えば、ユーザ機器の温度が８５度を超えて５分間持続する場合にユーザ機器が過熱すると確定することができる。
【００４２】
ステップ１０２において、タイマーが時間切れになる時点におけるユーザ機器の温度を検出する。
【００４３】
一実施例において、ユーザ機器の温度は、ユーザ機器における電池の表面温度、又は中央処理ユニット（Ｃｅｎｔｒａｌ  Ｐｒｏｃｅｓｓｉｎｇ  Ｕｎｉｔ、単にＣＰＵと呼ぶ）の表面温度、又はユーザ機器のフロントスクリーン或いはリアケースの温度などであってもよい。
【００４４】
一実施例において、Ｔ０時点においてユーザ機器が第１シグナリングを送信し、Ｔ０時点においてタイマーがタイミングを開始し、タイマーのタイムの長さがｔ１である場合、ユーザ機器は、Ｔ０＋ｔ１時点における機器の温度を検出することができる。
【００４５】
ステップ１０３において、機器の温度で表されるユーザ機器の状態を基地局に指示する。
【００４６】
一実施例において、ユーザ機器の状態は、ユーザ機器が過熱しなくなるか、又は依然として過熱することであってもよい。
【００４７】
一実施例において、機器の温度で表されるユーザ機器の状態を基地局に指示する方法は、図２に示す実施例を参照することができるので、ここで詳細に説明しない。
【００４８】
一例示的なシーンにおいて、図１Ｂに示すように、図１Ｂに示すシーンにおいて、基地局１０及びユーザ機器（例えばスマートフォン、タブレットなど）２０が含まれる。ここで、ユーザ機器２０は、降温構成を要求するための第１シグナリングを基地局に送信した後、第１プリセット時間のタイマーを起動し、タイマーが時間切れになる時点におけるユーザ機器の温度を検出し、且つ、機器の温度で表されるユーザ機器の状態、例えば機器が依然として過熱したり過熱しなくなったりする状態を基地局１０に指示することができる。
【００４９】
本実施例は、上記のステップ１０１〜ステップ１０３により、ユーザ機器が過熱する場合に降温構成を要求するための第１シグナリングを基地局に送信することにより、基地局によりＵＥ配置を低下させてＵＥ過熱の問題を解決することを実現し、関連技術によるサービスデータ伝送の中断の問題を避けることができる。
【００５０】
具体的には如何にユーザ機器を保護するかは、下記の実施例を参照してもよい。
【００５１】
以下、具体的な実施例を用いて本開示の実施例で提供される技術的案を説明する。
【００５２】
図２は、一例示的な実施例による他のユーザ機器の保護方法のフローチャートである。本実施例は、本開示の実施例で提供される上記の方法を用いて、如何に降温構成を要求するためのシグナリングを基地局に送信することを例として例示的に説明するが、図２に示すように、以下のステップを含む。
【００５３】
ステップ２０１において、無線リンク構成が高過ぎることが、ユーザ機器の過熱の原因となると確定する場合、降温構成を要求するための第１シグナリングを基地局に送信する。
【００５４】
一実施例において、第１シグナリングには、基地局がユーザ機器の調整される無線リンク構成を確定するように指示するための降温補助情報が含まれる。
【００５５】
ステップ２０２において、第１プリセット時間のタイマーを起動する。
【００５６】
ステップ２０３において、タイマーが時間切れになる時点におけるユーザ機器の温度を検出し、ステップ２０４又はステップ２０５を実行する。
【００５７】
一実施例において、ステップ２０２及びステップ２０３についての説明は、図１Ａに示す実施例のステップ１０１及びステップ１０２の説明を参照してもよく、ここでは再び詳しく説明しない。
【００５８】
ステップ２０４において、機器の温度で表されるユーザ機器の状態が、ユーザ機器が依然として過熱する場合、降温構成を要求するための第２シグナリングを基地局に送信する。
【００５９】
一実施例において、第１シグナリングは、第２シグナリングと同じであってもよく、即ち、第１シグナリングに含まれる基地局がＵＥ過熱の問題を解決することを支援する降温補助情報は、第２シグナリングに含まれる基地局がＵＥ過熱の問題を解決することを支援する降温補助情報相同と同じである。第１シグナリングは、第２シグナリングと異なっていてもよく、即ち、第１シグナリングに含まれる基地局がＵＥ過熱の問題を解決することを支援する降温補助情報は、第２シグナリングに含まれる基地局がＵＥ過熱の問題を解決することを支援する降温補助情報と異なる。
【００６０】
一実施例において、第２シグナリングを基地局に送信した後、第１プリセット時間のタイマーを再起動し、即ち、ステップ２０２を実行する。
【００６１】
ステップ２０５において、機器の温度で表されるユーザ機器の状態が、ユーザ機器が過熱しなくなる場合、ユーザ機器の状態が過熱しなくなることを指示するための第３シグナリングを基地局に送信する。
【００６２】
一実施例において、第３シグナリングは、降温補助情報が空であるＵＥＡｓｓｉｓｔａｎｃｅＩｎｆｏｒｍａｔｉｏｎシグナリングであってもよく、以下のコードを参照してもよい。
【００６３】
ＵＥＡｓｓｉｓｔａｎｃｅＩｎｆｏｒｍａｔｉｏｎ−ｒ１１  ：：＝ＳＥＱＵＥＮＣＥ  ｛
ＵＥ補助情報
ｃｒｉｔｉｃａｌＥｘｔｅｎｓｉｏｎｓ  ＣＨＯＩＣＥ  ｛
ｃ１  ＣＨＯＩＣＥ  ｛
ｕｅＡｓｓｉｓｔａｎｃｅＩｎｆｏｒｍａｔｉｏｎ−ｒ１１  ＵＥＡｓｓｉｓｔａｎｃｅＩｎｆｏｒｍａｔｉｏｎ−ｒ１１−ＩＥｓ、
ｓｐａｒｅ３  ＮＵＬＬ，  ｓｐａｒｅ２  ＮＵＬＬ，  ｓｐａｒｅ１  ＮＵＬＬ
｝，
ｃｒｉｔｉｃａｌＥｘｔｅｎｓｉｏｎｓＦｕｔｕｒｅ  ＳＥＱＵＥＮＣＥ  ｛｝
｝
｝
ＵＥＡｓｓｉｓｔａｎｃｅＩｎｆｏｒｍａｔｉｏｎ−ｒ１１−ＩＥｓ  ：：＝ＳＥＱＵＥＮＣＥ  ｛
ｐｏｗｅｒＰｒｅｆＩｎｄｉｃａｔｉｏｎ−ｒ１１  ＥＮＵＭＥＲＡＴＥＤ｛ｎｏｒｍａｌ，  
ｌｏｗＰｏｗｅｒＣｏｎｓｕｍｐｔｉｏｎ｝ＯＰＴＩＯＮＡＬ、
ｌａｔｅＮｏｎＣｒｉｔｉｃａｌＥｘｔｅｎｓｉｏｎ  ＯＣＴＥＴ  ＳＴＲＩＮＧ  ＯＰＴＩＯＮＡＬ、
ｎｏｎＣｒｉｔｉｃａｌＥｘｔｅｎｓｉｏｎ  ＵＥＡｓｓｉｓｔａｎｃｅＩｎｆｏｒｍａｔｉｏｎ−ｖ１４ｘｙ−ＩＥｓ  ＯＰＴＩＯＮＡＬ
｝
ＵＥＡｓｓｉｓｔａｎｃｅＩｎｆｏｒｍａｔｉｏｎ−ｖ１４ｘｙ−ＩＥｓ  ：：＝  ＳＥＱＵＥＮＣＥ｛
ｂｗ−Ｐｒｅｆｅｒｅｎｃｅ−ｒ１４ＢＷ−Ｐｒｅｆｅｒｅｎｃｅ−ｒ１４
帯域幅期待ＯＰＴＩＯＮＡＬ、
ｓｐｓ−ＡｓｓｉｓｔａｎｃｅＩｎｆｏｒｍａｔｉｏｎ−ｒ１４  ＳＰＳ−ＡｓｓｉｓｔａｎｃｅＩｎｆｏｒｍａｔｉｏｎ−ｒ１４ＳＰＳ補助情報ＯＰＴＩＯＮＡＬ、
ｔｅｍｐ−ＵＥ−Ｃａｐａｂｉｌｉｔｙ−ｒ１４  Ｔｅｍｐ−ＵＥ−Ｃａｐａｂｉｌｉｔｙ−ｒ１４ＯＰＴＩＯＮＡＬ
一時的なＵＥ能力
ｎｏｎＣｒｉｔｉｃａｌＥｘｔｅｎｓｉｏｎ  ＳＥＱＵＥＮＣＥ  ｛｝ＯＰＴＩＯＮＡＬ
｝
Ｔｅｍｐ−ＵＥ−Ｃａｐａｂｉｌｉｔｙ−ｒ１４−ＩＥｓ  ：：＝  ＳＥＱＵＥＮＣＥ｛
ｎｏｎＣｒｉｔｉｃａｌＥｘｔｅｎｓｉｏｎＳＥＱＵＥＮＣＥ  ｛｝ＯＰＴＩＯＮＡＬ
｝
【００６４】
一実施例において、ユーザ機器が過熱しなくなる場合、上記の第３シグナリングを基地局に送信することなく、他のシグナリングにより指示してもよい。
【００６５】
一実施例において、ユーザ機器が過熱しなくなる場合、いずれかのシグナリングを基地局に送信してもよい。
【００６６】
一実施例において、ユーザ機器が過熱しなくなる場合、タイマーを停止する。
本実施例において、上記のステップ２０１〜ステップ２０５により、機器の温度がユーザ機器が依然として過熱することを示す場合、第２シグナリングを基地局に送信することにより、基地局が無線リンク構成を低下させ続けるように指示してＵＥの降温を支援することができる。これに対して、機器の温度がユーザ機器が過熱しなくなることを示す場合、第３シグナリングを基地局に送信することにより、基地局は、ユーザ機器が過熱しなくなるという機器の状態をすぐ取得し、さらにＵＥのために高い無線リンク構成を配置し、ＵＥのデータ伝送レートを確保することができる。
【００６７】
図３は、一例示的な実施例によるユーザ機器の保護方法のフローチャートである。当該ユーザ機器の保護方法は、基地局に応用可能であり、図３に示すように、当該ユーザ機器の保護方法は、以下のステップ３０１〜３０４を含む。
【００６８】
ステップ３０１において、ユーザ機器から送信された降温構成を要求するための第１シグナリングを受信する。
【００６９】
ステップ３０２において、第１シグナリングに基づいてユーザ機器の無線リンク構成を低下させるための応答シグナリングを生成して送信する。
【００７０】
一実施例において、第１シグナリングには、基地局がユーザ機器の過熱問題を解決するように指示する降温補助情報が含まれ、降温補助情報は、過熱によるパフォーマンス低下の指示情報、及び／又は、過熱によるユーザ機器カテゴリーで表される一時的なユーザ機器能力、及び／又は、過熱による無線周波数パラメータで表される一時的なユーザ機器能力を含むことができる。
【００７１】
一実施例において、過熱によるユーザ機器カテゴリーで表される一時的なユーザ機器能力は、ユーザ機器カテゴリーに対応する一時的なユーザ機器能力であることが理解される。システムがあるカテゴリーのユーザ機器の過熱時の一時的なユーザ機器能力について合意する場合、基地局は、第１シグナリングにおけるユーザ機器カテゴリーに応じて一時的なユーザ機器能力を確定することができる。一実施例において、過熱による無線周波数パラメータで表される一時的なユーザ機器能力は、無線周波数パラメータに対応する一時的なユーザ機器能力であることが理解される。システムがあるカテゴリーのユーザ機器の過熱時の一時的なユーザ機器能力について合意する場合、基地局は、第１シグナリングにおける無線周波数パラメータに応じて一時的なユーザ機器能力を確定することができる。
【００７２】
一実施例において、基地局は、ユーザ機器の一時的なユーザ機器能力に基づいてユーザ機器のために調整される無線リンク構成を確定し、さらに応答シグナリングを生成することができる。
【００７３】
ステップ３０３において、第２プリセット時間内にユーザ機器から送信されたシグナリングをモニタリングする。
【００７４】
一実施例において、基地局に基づいて、第２プリセット時間が第１プリセット時間よりも長いように動的に設定し、例えば、ユーザ機器が第１シグナリングにおいてユーザ機器の現在のパフォーマンスが非常に低くて過熱の問題が深刻であることを指示する場合、基地局は、第２プリセット時間をより長く設定することができる。これに対して、ユーザ機器の過熱問題が深刻でない場合、基地局は、第２プリセット時間をより短く設定することができる。一実施例において、第２プリセット時間は、システムにより合意された固定値であり、即ち、第２プリセット時間は、システムにより合意された静的値であり、変更されない。一実施例において、第２プリセット時間は、基地局の実現により確定されており、基地局のサプライヤーが基地局を実現した時に既に第２プリセット時間を設定したことが理解され、それも一般的に固定値であり、例えば、華為の基地局は、第２プリセット時間が１０分間になるように実現され、中興の基地局は、第２プリセット時間が１１分間になるように実現される。
【００７５】
ステップ３０４において、モニタリング結果に基づいて、ユーザ機器の状態を確定する。
【００７６】
一実施例において、モニタリング結果は、いずれかのシグナリングがモニタリングされないことであってもよい。別の実施例において、モニタリング結果は、降温構成を再度要求するためのシグナリングがモニタリングされたことであってもよい。さらに別の実施例において、モニタリング結果は、ユーザ機器が過熱しなくなることを指示するシグナリングがモニタリングされたことであってもよい。
【００７７】
一実施例において、モニタリング結果に基づいてユーザ機器の状態を確定する方法は、図４に示す実施例を参照することができ、ここで詳細に説明しない。
【００７８】
一例示的なシーンにおいて、図１Ｂに示すように、図１Ｂに示すシーンにおいて、基地局１０及びユーザ機器（例えばスマートフォン、タブレットなど）２０が含まれる。ここで、ユーザ機器２０は、降温構成を要求するための第１シグナリングを基地局に送信した後、第１プリセット時間のタイマーを起動し、タイマーが時間切れになる時点における機器の温度を検出し、且つ、機器の温度で表されるユーザ機器の状態を基地局１０に指示し、機器が依然として過熱したり過熱しなくなったりする場合、基地局１０は、第１シグナリングを受信してから降温構成が含まれる応答シグナリングを返し、且つ、第２プリセット時間内にユーザ機器のシグナリングをモニタリングし、また、モニタリング結果に基づいてユーザ機器２０の状態を確定することができる。
【００７９】
本実施例は、上記のステップ３０１〜ステップ３０４により、基地局がユーザ機器の降温構成を要求するための第１シグナリングを受信した場合、ユーザ機器のために低い無線リンク構成を配置し、ユーザ機器が機器の温度を低下させることを支援することを実現するとともに、第２プリセット時間内のモニタリング結果によりユーザ機器の状態を確定し、ユーザ機器の状態をすぐ取得することができる。
【００８０】
具体的には如何にユーザ機器を保護するかは、下記の実施例を参照してもよい。
【００８１】
以下、具体的な実施例を用いて本開示の実施例で提供される技術的案を説明する。
【００８２】
図４は、一例示的な実施例による他のユーザ機器の保護方法のフローチャートである。本実施例は、本開示の実施例で提供される上記の方法を用いて、如何にユーザ機器の状態を確定してユーザ機器が過熱しなくなる場合にユーザ機器のために高い無線リンク構成を配置することを例として例示的に説明するが、図４に示すように、以下のステップを含む。
【００８３】
ステップ４０１において、ユーザ機器から送信された降温構成を要求するための第１シグナリングを受信する。
【００８４】
ステップ４０２において、第１シグナリングに基づいてユーザ機器の無線リンク構成を低下させるための応答シグナリングを生成して送信する。
【００８５】
ステップ４０３において、第２プリセット時間内にユーザ機器から送信されたシグナリングをモニタリングし、ステップ４０４又はステップ４０６を実行する。
【００８６】
ステップ４０４において、モニタリング結果が、ユーザ機器から送信された降温構成を要求するための第２シグナリングがモニタリングされたことを示す場合、ユーザ機器の状態が依然として過熱すると確定する。
【００８７】
一実施例において、第１シグナリングは、第２シグナリングと同じであってもよく、即ち、第１シグナリングに含まれる基地局がＵＥ過熱の問題を解決することを支援する降温補助情報は、第２シグナリングに含まれる基地局がＵＥ過熱の問題を解決することを支援する降温補助情報と同じである。第１シグナリングは、第２シグナリングと異なっていてもよく、即ち、第１シグナリングに含まれる基地局がＵＥ過熱の問題を解決することを支援する降温補助情報は、第２シグナリングに含まれる基地局がＵＥ過熱の問題を解決することを支援する降温補助情報と異なる。
【００８８】
ステップ４０５において、第２シグナリングに基づいて応答シグナリングを生成して送信する。
【００８９】
一実施例において、第２シグナリングに基づいて生成される応答シグナリングは、第１シグナリングに基づいて生成される応答シグナリングと同じであってもよいし、異なっていてもよい。具体的に、応答シグナリングは、第２シグナリングにおける降温補助情報に基づいて生成される。
【００９０】
ステップ４０６において、モニタリング結果が、ユーザ機器が過熱しなくなることを指示する第３シグナリングがモニタリングされたか、又はユーザ機器から送信された過熱の解決に関するシグナリングがモニタリングされない場合、ユーザ機器の状態が過熱しなくなると確定する。
【００９１】
ステップ４０７において、ユーザ機器の無線リンク構成を向上させる。
【００９２】
本実施例において、上記のステップ４０１〜ステップ４０７により、基地局が具体的なモニタリング結果に基づいてユーザ機器の状態を確定することを実現するとともに、ＵＥが過熱しなくなる場合、ユーザ機器の無線リンク構成を向上させることを実現することにより、ＵＥのデータ伝送レートを確保することができる一方で、ＵＥが依然として過熱する場合、ユーザ機器の無線リンク構成をさらに低下させることにより、ユーザ機器の温度をできるだけ早く低減することができる。
【００９３】
図５は、一例示的な実施例によるさらに別の基地局とユーザ機器とのインタラクティブによりユーザ機器の過熱保護を実現する方法のフローチャートである。本実施例は、本開示の実施例で提供される上記の方法を用いて、基地局とユーザ機器とのインタラクティブによりユーザ機器の過熱保護を実現することを例として例示的に説明するが、図５に示すように、以下のステップを含む。
【００９４】
ステップ５０１において、無線リンク構成が高過ぎてユーザ機器が過熱する場合、降温構成を要求するための第１シグナリングを基地局に送信する。
【００９５】
ステップ５０２において、ユーザ機器は、プリセット時間のタイマーを起動する。
【００９６】
一実施例において、第１シグナリングを送信してから、すぐにプリセット時間のタイマーを起動し、タイマーのタイミング開始時点が第１シグナリングを送信する時点であることが理解される。
【００９７】
ステップ５０３において、ユーザ機器は、タイマーが時間切れになる時点における機器の温度を検出し、且つ、機器の温度で表されるユーザ機器の状態を基地局に指示する。
【００９８】
ステップ５０４において、基地局は、受信された第１シグナリングに基づいてユーザ機器の無線リンク構成を低下させるための応答シグナリングを生成して送信する。
【００９９】
ステップ５０５において、基地局は、応答シグナリングを送信する。
【０１００】
ステップ５０６において、基地局は、第２プリセット時間内にユーザ機器から送信されたシグナリングをモニタリングする。
【０１０１】
ステップ５０７において、基地局は、モニタリング結果に基づいてユーザ機器の状態を確定する。
【０１０２】
本実施例において、上記のステップ５０１〜ステップ５０７により、無線リンク構成が高過ぎることが、ユーザ機器の過熱の原因となると確定する場合、降温構成を要求するための第１シグナリングを基地局に送信し、そして、第１シグナリングを送信した後、第１プリセット時間のタイマーを起動し、タイマーが時間切れになる時点における機器の温度を検出し、且つ、機器の温度で表されるユーザ機器の状態を基地局に指示することを実現することができる。例えば、機器が依然として過熱したり過熱しなくなったりする場合、基地局によりＵＥ配置を低下させてＵＥ過熱の問題を解決することを実現するとともに、ユーザ機器の状態を基地局に指示することにより、基地局は、ＵＥが過熱しなくなる場合にＵＥのために高い無線リンク構成をすぐ配置し、ＵＥのデータ伝送レートを確保することを実現することができる。
【０１０３】
図６は、一例示的な実施例によるユーザ機器の保護装置のブロック図であり、当該装置は、ユーザ機器に応用され、図６に示すように、ユーザ機器の保護装置は、
降温構成を要求するための第１シグナリングを基地局に送信した後、第１プリセット時間のタイマーを起動するように構成されるタイミングモジュール６１と、
タイミングモジュールにより起動されるタイマーが時間切れになる時点におけるユーザ機器の温度を検出するように構成される検出モジュール６２と、
機器の温度で表されるユーザ機器の状態を基地局に指示するように構成される状態指示モジュール６３と、を含む。
【０１０４】
図７は、一例示的な実施例による他のユーザ機器の保護装置のブロック図である。図７に示すように、上記の図６に示す実施例を基に、一実施例において、前記装置は、以下のモジュールを含む。
【０１０５】
一実施例において、前記装置は、
無線リンク構成が高過ぎることが、ユーザ機器の過熱の原因となると確定する場合、降温構成を要求するための第１シグナリングを基地局に送信するように構成される第１送信モジュール６４をさらに含む。
【０１０６】
一実施例において、第１シグナリングには、基地局がユーザ機器の調整される無線リンク構成を確定するように指示するための降温補助情報が含まれる。
【０１０７】
一実施例において、状態指示モジュール６３は、
機器の温度で表されるユーザ機器の状態が、ユーザ機器が依然として過熱する場合、降温構成を要求するための第２シグナリングを基地局に送信するように構成される第１送信サブモジュール６３１と、
機器の温度で表されるユーザ機器の状態が、ユーザ機器が過熱しなくなる場合、ユーザ機器の状態が過熱しなくなることを指示するための第３シグナリングを基地局に送信するように構成される第２送信サブモジュール６３２と、を含む。
【０１０８】
一実施例において、第３シグナリングは、前記降温補助情報が空である第１シグナリングである。
【０１０９】
図８は、一例示的な実施例によるユーザ機器の保護装置のブロック図であり、当該装置は、基地局に応用され、図８に示すように、ユーザ機器の保護装置は、
ユーザ機器から送信された降温構成を要求するための第１シグナリングを受信するように構成される受信モジュール８１と、
受信モジュールが受信した第１シグナリングに基づいて、ユーザ機器の無線リンク構成を低下させるための応答シグナリングを生成して送信するように構成される応答モジュール８２と、
受信モジュールが第１シグナリングを受信した後の第２プリセット時間内にユーザ機器から送信されたシグナリングをモニタリングするように構成されるモニタリングモジュール８３と、
モニタリング結果に基づいてユーザ機器の状態を確定するように構成される状態確定モジュール８４と、を含む。
【０１１０】
図９は、一例示的な実施例による他のユーザ機器の保護装置のブロック図であり、図９に示すように、上記の図８に示す実施例を基に、一実施例において、第２プリセット時間は、基地局に基づいて動的に配置されるか、又は第２プリセット時間は、システムにより合意された固定値であるか、又は第２プリセット時間は、基地局の実現に基づいて確定される。
【０１１１】
一実施例において、前記装置は、
ユーザ機器の状態が、ユーザ機器が過熱しなくなる場合、ユーザ機器の無線リンク構成を向上させるように構成される再配置モジュール８５と、
ユーザ機器の状態が、ユーザ機器が依然として過熱する場合、応答シグナリングを生成して送信する操作を実行するように構成される応答モジュール８２と、をさらに含む。
【０１１２】
一実施例において、状態確定モジュール８４は、
モニタリング結果が、ユーザ機器から送信された降温構成を要求するための第２シグナリングがモニタリングされたことを示す場合、前記ユーザ機器の状態が依然として過熱すると確定するように構成される第１確定サブモジュール８４１と、
モニタリング結果が、ユーザ機器が過熱しなくなることを指示する第３シグナリングがモニタリングされたことを示す場合、ユーザ機器の状態が過熱しなくなると確定するように構成される第２確定サブモジュール８４２と、を含む。
【０１１３】
一実施例において、状態確定モジュール８４は、
モニタリング結果が、ユーザ機器から送信された過熱の解決に関するシグナリングがモニタリングされない場合、ユーザ機器の状態が過熱しなくなると確定するように構成される第３確定サブモジュール８４３を含む。
【０１１４】
上記の実施例における装置中の各モジュールが操作を実行する具体的な形態は、当該方法に関する実施例に詳細に記述されているため、ここで繰り返し説明しない。
【０１１５】
図１０は、一例示的な実施例によるユーザ機器を保護するのに適用される装置のブロック図である。装置１０００は、基地局として提供されてもよい。図１０を参照すると、装置１０００は、処理ユニット１０２２、無線送信／受信ユニット１０２４、アンテナユニット１０２６、及び無線インタフェースに特有の信号処理部分を含み、処理ユニット１０２２は、１つ又は複数のプロセッサをさらに含むことができる。
【０１１６】
処理ユニット１０２２のうちの１つのプロセッサは、上記のユーザ機器の保護方法を実行するように構成される。
【０１１７】
例示的な実施例において、命令を有する非一時的なコンピュータ読み取り可能な記憶媒体をさらに提供し、前記命令は、装置１０００の処理ユニット１０２２により実行されて上記の方法を実現する。例えば、非一時的なコンピュータ読み取り可能な記憶媒体は、ＲＯＭ、ランダムアクセスメモリ（ＲＡＭ）、ＣＤ−ＲＯＭ、磁気テープ、フロッピーディスク及び光データ記憶機器などであってもよい。
【０１１８】
非一時的なコンピュータ読み取り可能な記憶媒体を提供し、記憶媒体における命令が基地局のプロセッサにより実行される場合、基地局を実行させて上記の第２態様に係るユーザ機器の保護方法を実現し、前記方法は、
ユーザ機器から送信された降温構成を要求するための第１シグナリングを受信するステップと、
第１シグナリングに基づいてユーザ機器の無線リンク構成を低下させるための応答シグナリングを生成して送信するステップと、
第２プリセット時間内にユーザ機器から送信されたシグナリングをモニタリングするステップと、
モニタリング結果に基づいてユーザ機器の状態を確定するステップと、を含む。
図１１は、一例示的な実施例によるユーザ機器を保護するのに適用される装置のブロック図である。例えば、装置１１００は、第１機器、例えばスマートフォンであってもよい。
【０１１９】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）のインタフェース１１１２、センサーユニット１１１４、及び通信ユニット１１１６からなる群から選ばれる少なくとも１つを備えてもよい。
処理ユニット１１０２は、一般的には、装置１１００の全体の操作、例えば、表示、電話呼び出し、データ通信、カメラ操作及び記録操作に関連する操作を制御する。処理ユニット１１０２は、上述した方法におけるステップの一部又は全部を実現できるように、命令を実行する少なくとも１つのプロセッサ１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８とのインタラクションを便利にさせるように、マルチメディアモジュールを備えてもよい。
【０１２０】
メモリ１１０４は、装置１１００での操作をサポートするように、各種のデータを記憶するように配置される。これらのデータは、例えば、装置１１００で何れのアプリケーション又は方法を操作するための命令、メッセージ、ピクチャ等を含む。メモリ１１０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１２１】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【０１２２】
マルチメディアユニット１１０８は、装置１１００とユーザとの間に出力インタフェースを提供するスクリーンを備えてもよい。一実施例では、スクリーンは、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１１０８は、フロントカメラ及び／又はバックカメラを有してもよい。装置１１００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１２３】
オーディオユニット１１１０は、オーディオ信号を出力及び／又は入力するように配置される。例えば、オーディオユニット１１１０は、マイクロフォン（ＭｉＣ）を有してもよい。装置１１００が、例えば、呼び出しモード、記録モード、又は音声認識モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１０は、オーディオ信号を出力するためのスピーカをさらに備えてもよい。
【０１２４】
Ｉ／Ｏインタフェース１１１２は、処理ユニット１１０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンを含むが、それらに限らない。
【０１２５】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットは、装置１１００のディスプレイ及びキーパッドである。センサーユニット１１１４は、装置１１００又は装置１１００の１つのユニットの位置の変化や、ユーザが装置１１００に接触しているか否かや、装置１１００の方向又は加速／減速や、装置１１００の温度変化を検出することもできる。センサーユニット１１１４は、何れの物理的な接触もない場合に付近の物体を検出するように配置される近接センサーを有してもよい。センサーユニット１１１４は、イメージングアプリケーションに用いるための光センサー、例えば、ＣＭＯＳ又はＣＣＤ画像センサーを有してもよい。一実施例では、当該センサーユニット１１１４は、加速度センサー、ジャイロスコープセンサー、磁気センサー、距離センサー、圧力センサー又は温度センサーをさらに備えてもよい。
【０１２６】
通信ユニット１１１６は、装置１１００と他の設備の間との無線又は有線通信を便利にさせるように配置される。装置１１００は、通信標準に基づく無線ネットワーク、例えば、ＷｉＦｉ、２Ｇ又は３Ｇ、又はそれらの組み合わせにアクセスできる。１つの例示的な実施例では、通信ユニット１１１６は、ブロードキャストチャンネルを介して外部のブロードキャスト管理システムからのブロードキャスト信号又はブロードキャストに関する情報を受信する。１つの例示的な実施例では、前記通信ユニット１１１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１２７】
例示的な実施例では、装置１１００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理装置（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されて、上記のユーザ機器の保護方法を実行する。
【０１２８】
例示的な実施例では、命令を有する非一時的なコンピュータ読み取り可能な記録媒体、例えば、命令を有するメモリ１１０４をさらに提供する。前記命令は、装置１１００のプロセッサ１１２０により実行されて上述した方法を実現する。例えば、前記非一時的なコンピュータ読み取り可能な記録媒体は、ＲＯＭ、ランダムアクセスメモリ（ＲＡＭ）、ＣＤ−ＲＯＭ、磁気テープ、フロッピーディスク及び光データ記憶機器などであってもよい。
【０１２９】
非一時的なコンピュータ読み取り可能な記憶媒体であって、当該記憶媒体における命令が装置のプロセッサにより実行される場合、装置が上記の第１態様に係るユーザ機器の保護方法を実行するようにさせ、前記方法は、
降温構成を要求するための第１シグナリングを基地局に送信した後、第１プリセット時間のタイマーを起動するステップと、
タイマーが時間切れになる時点におけるユーザ機器の温度を検出するステップと、
機器の温度で表されるユーザ機器の状態を基地局に指示するステップと、を含む。
【０１３０】
当業者は、明細書に対する理解、及び明細書に記載された発明に対する実施を介して、本開示の他の実施形態を容易に取得することができる。本願は、本開示に対する任意の変形、用途、又は適応的な変化を含み、このような変形、用途、又は適応的な変化は、本開示の一般的な原理に従い、本開示では開示していない本技術分野の公知知識、又は通常の技術手段を含む。明細書及び実施例は、単に例示的なものであって、本開示の本当の範囲と主旨は、以下の特許請求の範囲によって示される。
【０１３１】
本開示は、上記で記述され、図面で図示した特定の構成に限定されず、その範囲を離脱しない状況で、様々な修正や変更を実施してもよい。本開示の範囲は、添付される特許請求の範囲のみにより限定される。
【図１Ａ】
2020524960.tif 000003
【図１Ｂ】
2020524960.tif 000004
【図２】
2020524960.tif 000005
【図３】
2020524960.tif 000006
【図４】
2020524960.tif 000007
【図５】
2020524960.tif 000008
【図６】
2020524960.tif 000009
【図７】
2020524960.tif 000010
【図８】
2020524960.tif 000011
【図９】
2020524960.tif 000012
【図１０】
2020524960.tif 000013
【図１１】
2020524960.tif 000014
【国際調査報告】
2020524960.tif 000015
2020524960.tif 000016
2020524960.tif 000017
2020524960.tif 000018